(57)【要約】【課題】  本発明は、フォーカス方向とトラック方向の駆動点を一致させた光ピックアップ装置を提供することを目的としている。【解決手段】  上記課題を解決するために、本発明に係る光ピックアップ装置１の代表的な構成は、フォーカスコイル２３およびトラッキングコイル２４とを有し、フォーカスコイル２３を読取媒体に対する近接側コイル２３ａと離隔側コイル２３ｂとに分割し、これらが生じる駆動力の合力の基点たる駆動点と、トラッキングコイル２４が生じる駆動力の基点たる駆動点２６とをほぼ一致させたことを特徴とする。【選択図】  図２
2006323883.tif 000002
【特許請求の範囲】
【請求項１】
対物レンズを備えた可動ユニットと、
前記可動ユニットを揺動可能に支持する固定ユニットと、
前記可動ユニットまたは固定ユニットの一方に取り付けられた磁石と、
前記可動ユニットまたは固定ユニットの他方に取り付けられたフォーカスコイルおよびトラッキングコイルとを有し、
前記フォーカスコイルは前記対物レンズの光軸とほぼ平行な軸を中心に巻回され、
前記トラッキングコイルは前記対物レンズの光軸とほぼ直交する軸を中心に巻回された光ピックアップ装置において、
前記フォーカスコイルを読取媒体に対する近接側と離隔側とに分割し、
前記磁石との協働により前記近接側および離隔側のフォーカスコイルが生じる駆動力の合力の基点たる駆動点と、前記磁石との協働により前記トラッキングコイルが生じる駆動力の基点たる駆動点とをほぼ一致させたことを特徴とする光ピックアップ装置。
【請求項２】
前記磁石は、断面がほぼコの字状のヨークの相対する内壁面にそれぞれ取り付けられており、
前記フォーカスコイルは前記ヨークの一方の壁面を巻回するように配置され、
前記トラッキングコイルは前記ヨークの両壁面の間において該壁面とほぼ平行な平面内で巻回されていることを特徴とする請求項１記載の光ピックアップ装置。
【請求項３】
前記近接側および離隔側のフォーカスコイルは巻回面積を異ならせており、
前記トラッキングコイルは、面積の小さなフォーカスコイルの外側であって、かつ面積の大きなフォーカスコイルの内側に配置したことを特徴とする請求項１記載の光ピックアップ装置。
【請求項４】
前記近接側および離隔側のフォーカスコイルはほぼ等しい巻回面積であって、
前記トラッキングコイルは前記対物レンズの光軸に対してわずかに傾いており、読取媒体に対する近接側または離隔側の一方においてフォーカスコイルの外側に位置し、他方においてフォーカスコイルの内側に位置することを特徴とする請求項１記載の光ピックアップ装置。
【発明の詳細な説明】
【技術分野】
【０００１】
本発明は、光ディスクを読取媒体とする光ピックアップ装置に関し、特にフォーカスコイルの巻線構造に関する。
【背景技術】
【０００２】
コンパクトディスクなどの光ディスクから信号を読み取るドライブ装置においては、信号面にレーザ光を当てて、その反射光を光ピックアップ装置で検出し、所定の信号を得る構成になっている。光ピックアップ装置は全体として光ディスクのトラック方向（半径方向）に移動可能に構成されるが、さらに位置の微調整のために、対物レンズを備えた可動ユニットと、固定ユニットとから構成される。
【０００３】
可動ユニットは、トラック方向（光ディスクの半径方向）だけでなく、対物レンズの焦点距離を調節するためにフォーカス方向（光ディスクに対する離接方向）にも移動可能に構成される。この位置調整はマイクロメートル単位の精度を要求されるため、可動ユニットは弾性体により浮いたような状態で支持されており、この弾性体と電磁石との協働によって変位させる構成が取られている。
【０００４】
図４は従来の光ピックアップ装置の要部概略を説明する図である。図４（ａ）に示す構成にあっては、対物レンズ１２０を備えた可動ユニット１１０にフォーカスコイル１１１およびトラッキングコイル１１２を備え、固定ユニット１００に磁石１０１を配置している（特許文献１参照）。この構成ではフォーカスコイル１１１が水平方向に２つ設けられており、動作に確実性はあるものの、小型化及び軽量化が難しいという問題がある。
【０００５】
図４（ｂ）に示す構成にあっては、１つのフォーカスコイル１１１を用いた例を示している（特許文献２参照）。固定ユニット１００には断面コの字型のヨーク１０２を備えており、その両側壁の内側に磁石１０１を取り付けている。これにより、図４（ａ）に示した構成に比して小型化及び軽量化を図ることが可能となっている。
【０００６】
ただし、図４（ｂ）に示す構成にあっては、図４（ｃ）に示すように、フォーカス方向とトラック方向の駆動点に、ずれｄが生じる。このとき、磁石１０１からの漏れ磁束によってヨーク１０２の外側においても駆動力が生じるため、この漏れ磁束を利用して駆動点を近づけることが行われている。しかし、すでに飽和状態にある磁気回路において、磁石１０１の着磁精度や支持部材の弾性精度などの使用部品の仕上がりのばらつきや、可動ユニット１１０の位置精度など組立精度のばらつきなどが動特性に与える影響は大きく、これら全ての精度を高く保つのは困難がある。
【０００７】
図４（ｄ）に示す構成にあっては、可動ユニット１１０の外周を覆うようにフォーカスコイル１１１およびトラッキングコイル１１２を配置している。これにより、可動ユニット１１０の重心と、対物レンズ１２０の光軸と、駆動点を一致させることができる。しかし、このように対物レンズ１２０の周囲にコイルが配置されると、樹脂製の対物レンズの場合はコイルの発熱による影響を受け、光学特性に悪影響を与える可能性がある。
【特許文献１】特開平８−２２７５３０（図１）
【特許文献２】特開２０００−３６１２２（図５）
【発明の開示】
【発明が解決しようとする課題】
【０００８】
本発明は、上記図４（ｂ）を用いて説明した構成をさらに発展させたものであって、フォーカス方向とトラック方向の駆動点を一致させた光ピックアップ装置を提供することを目的としている。
【課題を解決するための手段】
【０００９】
上記課題を解決するために、本発明に係る光ピックアップ装置の代表的な構成は、対物レンズを備えた可動ユニットと、前記可動ユニットを揺動可能に支持する固定ユニットと、前記可動ユニットまたは固定ユニットの一方に取り付けられた磁石と、前記可動ユニットまたは固定ユニットの他方に取り付けられたフォーカスコイルおよびトラッキングコイルとを有し、前記フォーカスコイルは前記対物レンズの光軸とほぼ平行な軸を中心に巻回され、前記トラッキングコイルは前記対物レンズの光軸とほぼ直交する軸を中心に巻回された光ピックアップ装置において、前記フォーカスコイルを読取媒体に対する近接側と離隔側とに分割し、前記磁石との協働により前記近接側および離隔側のフォーカスコイルが生じる駆動力の合力の基点たる駆動点と、前記磁石との協働により前記トラッキングコイルが生じる駆動力の基点たる駆動点とをほぼ一致させたことを特徴とする。
【００１０】
前記磁石は、断面がほぼコの字状のヨークの相対する内壁面にそれぞれ取り付けられており、前記フォーカスコイルは前記ヨークの一方の壁面を巻回するように配置され、前記トラッキングコイルは前記ヨークの両壁面の間において該壁面とほぼ平行な平面内で巻回されていることが好ましい。
【００１１】
前記近接側および離隔側のフォーカスコイルは巻回面積を異ならせており、前記トラッキングコイルは、面積の小さなフォーカスコイルの外側であって、かつ面積の大きなフォーカスコイルの内側に配置したことでもよい。
【００１２】
前記近接側および離隔側のフォーカスコイルはほぼ等しい巻回面積であって、前記トラッキングコイルは前記対物レンズの光軸に対してわずかに傾いており、読取媒体に対する近接側または離隔側の一方においてフォーカスコイルの外側に位置し、他方においてフォーカスコイルの内側に位置することでもよい。
【発明の効果】
【００１３】
本発明によれば、フォーカス方向とトラック方向の駆動点を一致させることにより、さらにこれらと可動ユニットの重心とを一致させることが可能となる。従って、磁気回路（漏れ磁束）による動特性調整が不要となり、磁石の着磁のばらつきによって動特性（不要共振）に影響が及ぶことを回避することができる。
【発明を実施するための最良の形態】
【００１４】
本発明に係る光ピックアップ装置の実施例について説明する。図１は本実施例に係る光ピックアップ装置を説明する図、図２はフォーカスコイルおよびトラッキングコイルの関係を説明する図、図３は他の構成例を説明する図である。
【００１５】
図１（ａ）に示すように、光ピックアップ装置１は、対物レンズ２２を備える可動ユニット２０と固定ユニット１０とを備えている。固定ユニット１０は送りネジ２によって、不図示の光ディスクのトラック方向（半径方向であって図示矢印ａ方向）に移動可能となっている。なお固定ユニット１０は、可動ユニット２０との対比により「固定」と称しているが、上述の如く全体として移動するものであることは了解されたい。
【００１６】
可動ユニット２０はリブ２１と支持部材１１とを弾性部材１２によって接続することにより、浮いたような状態で支持されている。支持部材１１は固定ユニット１０に取り付けられる。これにより可動ユニット２０は、トラック方向（図示矢印ａ方向）およびフォーカス方向（図示矢印ｂ方向）に揺動可能に構成されている。なお弾性部材１２は略針状のバネ部材であって、本実施例で取り扱う範囲においては、たわむ方向（ラジアル方向）には容易に変形するが、縮む方向（スラスト方向）にはほとんど変形しない。
【００１７】
図１（ｂ）は光ピックアップ装置１の分解説明図である。固定ユニット１０には、断面がほぼコの字状のヨーク１４が、開口端を可動ユニット２０に向けた姿勢で固定ユニット１０に取り付けられている。ヨーク１４の相対する内壁面には、それぞれ磁石１５が取り付けられている。一方、可動ユニット２０にはフォーカスコイル２３および２つのトラッキングコイル２４が備えられている。
【００１８】
フォーカスコイル２３は、対物レンズ２２の光軸２２ａとほぼ平行な軸（仮想軸）を中心に巻回されており、可動ユニット２０が弾性部材１２に支持された状態において、ヨーク１４の一方の壁面および磁石１５を巻回するように配置される。トラッキングコイル２４はフォーカスコイル２３に取り付けられており、対物レンズ２２の光軸２２ａとほぼ直交する軸を中心に、ヨーク１４の両壁面の間（２つの磁石１５の間）において該壁面とほぼ平行な平面内で巻回されている。そして２つのトラッキングコイル２４は、トラック方向（図示矢印ａ方向）に２つ並べて配置されている。
【００１９】
ここでフォーカスコイル２３は、読取媒体である光ディスク（不図示）に対する近接側コイル２３ａと離隔側コイル２３ｂとに分割されている。本実施例において近接側コイル２３ａと離隔側コイル２３ｂとは同じ巻数である。近接側コイル２３ａの巻回面積は小さく、ヨーク１４の壁面および磁石１５を挿通するに十分な程度の開口に設定される。一方、離隔側コイル２３ｂの巻回面積は大きく、ヨーク１４の壁面および磁石１５を挿通可能であって、かつトラッキングコイル２４の一部を内部に配置可能な開口に設定される。すなわちトラッキングコイル２４は、一端は近接側コイル２３ａの外側に配置され、他端は離隔側コイル２３ｂの内側に配置されている。
【００２０】
図２（ａ）に示すように、磁石１５との協働により近接側コイル２３ａが生じる駆動力の基点（厳密には合力の仮想的な基点）は、概ね磁石１５の磁束内にある近接側コイル２３ａの中心位置になり、図示の駆動点２５ａのようになる。同様に離隔側コイル２３ｂが生じる駆動力の基点は、磁石１５の磁束内にある離隔側コイル２３ｂの中心位置となるため、図示の駆動点２５ｂのようになる。一方、図２（ｂ）に示すように、磁石１５との協働によりトラッキングコイル２４が生じる駆動力の基点は、比較的単純に２つのトラッキングコイル２４の図心と捉えることができ、図示の駆動点２６のようになる。
【００２１】
そこで、近接側コイル２３ａによる駆動点２５ａと離隔側コイル２３ｂによる駆動点２５ｂとの中点と、トラッキングコイル２４による駆動点２６とを一致させることにより、フォーカス方向とトラック方向の駆動点を一致させることができる。そしてさらに、これらと可動ユニット２０の重心とを一致させることにより、可動ユニット２０を安定して駆動（移動）させることが可能となり、振動の残留や不要共振などを回避して動特性を飛躍的に向上させることが可能となる。従って、磁気回路（漏れ磁束）による動特性調整が不要となり、磁石の着磁のばらつきによって動特性に影響が及ぶことを回避することができる。また、動特性や共振の周波数特性、動作の感度も各特性ごとに調整、設定することが可能となる。
【００２２】
なお、理解を容易とするために上記においては駆動点２５ａ、２５ｂの中点を駆動点２６と一致させると説明した。しかし実際には、より磁石１５に近い近接側コイル２３ａの方が離隔側コイル２３ｂよりも大きな駆動力を生じるため、その合力の駆動点はヨーク１４の外側に向かって偏ってしまう。またヨーク１４の外側に存在する漏れ磁束を考慮すれば、この漏れ磁束によっても近接側コイル２３ａ、離隔側コイル２３ｂにおいて駆動力が発生するため、やはりその合力の駆動点はヨーク１４の外側に向かって偏る傾向にある。
【００２３】
これらの偏りは、図３（ａ）に幅ｄ１にて示すように、離隔側コイル２３ｂの駆動点２５ｂをさらに駆動点２６から遠ざけることにより、調整することができる。図に示す駆動点２５ｃは、漏れ磁束を考慮した場合の駆動点である。また、図３（ｂ）に幅ｄ２にて示すように巻回面積を大きくし、ヨーク１４の外側において有効長（駆動力を生じる長さ）を異ならせることにより調整することもできる。また、近接側コイル２３ａと離隔側コイル２３ｂの巻数を異ならせることによっても、調整することが可能である。
【００２４】
すなわち、使用する磁気回路において、漏れ磁束がない場合、または微量な場合は、可動ユニット２０の重心位置のばらつき以外は動特性に影響しないため、精度の向上が容易である。また、漏れ磁束を利用する場合であっても、フォーカスコイル２３の仕様や位置関係の調整を図ることにより、動特性の向上を図ることができる。
【００２５】
なお、上記実施例においてはトラッキングコイル２４をヨーク１４の壁面と平行なままととし、近接側コイル２３ａと離隔側コイル２３ｂの巻回面積を異ならせるよう説明した。しかし本発明はこれに限定するものではない。
【００２６】
図３（ｃ）に示す構成にあっては、フォーカスコイル２３は、上記実施例と同様に、読取媒体である光ディスク（不図示）に対する近接側コイル２３ａと離隔側コイル２３ｂとに分割されている。ただし、いずれもほぼ等しい巻回面積となっている。そして、トラッキングコイル２４は対物レンズ２２の光軸２２ａに対してわずかに傾いており、読取媒体に対する離隔側において離隔側コイル２３ｂの外側に位置し、近接側において近接側コイル２３ａの内側に位置している。このように構成することによっても、近接側コイル２３ａによる駆動点２５ａと離隔側コイル２３ｂによる駆動点２５ｂとの中点と、トラッキングコイル２４による駆動点２６とを一致させることができる。
【００２７】
また、上記実施例においては、固定ユニット１０に磁石１５を設け、可動ユニット２０にフォーカスコイル２３およびトラッキングコイル２４を設けるよう説明したが、逆の配置とすることでも良い。すなわち、可動ユニット２０に磁石１５を設け、固定ユニット１０にフォーカスコイル２３およびトラッキングコイル２４を設けることでもよい。
【産業上の利用可能性】
【００２８】
本発明は、光ディスクを読取媒体とする光ピックアップ装置として利用することができる。
【図面の簡単な説明】
【００２９】
【図１】実施例に係る光ピックアップ装置を説明する図である。
【図２】フォーカスコイルおよびトラッキングコイルの関係を説明する図である。
【図３】他の構成例を説明する図である。
【図４】従来の光ピックアップ装置の要部概略を説明する図である。
【符号の説明】
【００３０】
１     …光ピックアップ装置
２     …送りネジ
１１   …支持部材
１０   …固定ユニット
１２   …弾性部材
１４   …ヨーク
１５   …磁石
２０   …可動ユニット
２１   …リブ
２２   …対物レンズ
２２ａ  …光軸
２３   …フォーカスコイル
２３ａ  …近接側コイル
２３ｂ  …離隔側コイル
２４   …トラッキングコイル
２５ａ、２５ｂ、２６   …駆動点
１００  …固定ユニット
１０１  …磁石
１０２  …ヨーク
１１０  …可動ユニット
１１１  …フォーカスコイル
１１２  …トラッキングコイル
１２０  …対物レンズ
【図１】
2006323883.tif 000003
【図２】
2006323883.tif 000004
【図３】
2006323883.tif 000005
【図４】
2006323883.tif 000006